(57)【要約】【課題】座者の頭部方向に向って上方に膨張展開するバッグ部分と座者の腰部方向に向って下方に膨張展開するバッグ部分とからなるエアバッグをバックパッドの片側部に設けた開口部より膨張可能に備え、座者の腰部方向に向って下方に膨張展開するバッグ部分のバックパッドに対する潜り込みを防ぎ、エアバッグ全体としてトリムカバーの破断部より安定よく膨張展開可能に備え付ける。【解決手段】開口部３の前下隅に相当する口内から口縁に被るバックパッド２の保形カバー４をバックフレーム５より立ち上げて設けた。【選択図】  図５
2008120148.tif 000002
【特許請求の範囲】
【請求項１】
座者の頭部方向に向って上方に膨張展開するバッグ部分と座者の腰部方向に向って下方に膨張展開するバッグ部分とからなるエアバッグを有するエアバッグ装置をバックフレームの片側部に取り付けてバックパッドの片側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートにおいて、
開口部の前下隅に相当する口内から口縁に被るバックパッドの保形カバーをバックフレームより立ち上げて設けたことを特徴とするサイドエアバッグ装置を備える車両用シート。
【発明の詳細な説明】
【技術分野】
【０００１】
本発明は、エアバッグを有するエアバッグ装置をバックフレームの片側部に取り付けてバックパッドの側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートの改良に関するものである。
【背景技術】
【０００２】
一般に、エアバッグを有するエアバッグ装置をバックフレームの片側部に取り付けてバックパッドの側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートは知られている。
【０００３】
そのサイドエアバッグ装置においては、座者の頭部方向に向って上方に膨張展開するバッグ部分と座者の腰部方向に向って下方に膨張展開するバッグ部分とからなるエアバッグを備え付けることが図られている。
【０００４】
そのエアバッグを備え付けるにあたり、バックパッドにおける開口部の前上側にあっては座面部分から連続する側面部分，肩面部分，背面部分が設けられていることから、当該部位がエアバッグの膨張展開に対抗可能な剛性を有するため、座者の頭部方向に向って上方に膨張展開するバッグ部分のバックパッドに対する潜り込みを防げる。
【０００５】
これに対し、開口部の前下側にあっては座面部分から連続する側面部分が存在するものの、下側部分，背面部分がバックフレームを組み付ける必要から開放されているため、殊に、開口部の前下隅口内から前下隅口縁にあってはエアバッグの膨張展開に対抗可能な剛性に欠け、座者の腰部方向に向って下方に膨張展開するバッグ部分のバックパッドに対する潜り込みが生じて安定よく膨張展開できない虞れがある。
【０００６】
従来、エアバッグを安定よく膨張展開させ、また、エアバッグの膨張圧をトリムカバーの破断部に効率よく作用させるため、片端末をトリムカバーの破断部となる縫合せ側と共縫いし、他端末をバックパッドの開口部よりバックフレーム側に巻込み止着する前後二つの力布により、エアバッグ装置を包み込むことが提案されている（特許文献１）。
【０００７】
その前後の力布のうち、前方の力布は開口部の前口内からバックパッドの前側面に亘るものであり、開口部の前下隅口内より前下隅口縁までに亘るものとしては設けられていない。このため、当該力布によっても、座者の腰部方向に向って下方に膨張展開するバッグ部分のバックパッドに対する潜り込みの発生を防ぐことができない。
【特許文献１】特開平８−２５８６６０号公報
【発明の開示】
【発明が解決しようとする課題】
【０００８】
本発明は、座者の頭部方向に向って上方に膨張展開するバッグ部分と座者の腰部方向に向って下方に膨張展開するバッグ部分とからなるエアバッグをバックパッドの片側部に設けた開口部より膨張可能に備え、座者の腰部方向に向って下方に膨張展開するバッグ部分のバックパッドに対する潜り込みを防ぎ、エアバッグ全体としてトリムカバーの破断部より安定よく膨張展開可能なサイドエアバッグ装置を備える車両用シートを提供することを課題とする。
【課題を解決するための手段】
【０００９】
本発明は、座者の頭部方向に向って上方に膨張展開するバッグ部分と座者の腰部方向に向って下方に膨張展開するバッグ部分とからなるエアバッグを有するエアバッグ装置をバックフレームの片側部に取り付けてバックパッドの片側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートにおいて、
開口部の前下隅に相当する口内から口縁に被るバックパッドの保形カバーをバックフレームより立ち上げて設けたことを特徴とする。
【発明の効果】
【００１０】
本発明に係るサイドエアバッグ装置を備える車両用シートによれば、開口部の前下隅に相当する口内から口縁をバックパッドの保形カバーで覆うため、エアバッグの膨張展開時に、保形カバーが座者の腰部方向に向って下方に膨張展開するバッグ部分のガイドとなり、当該バッグ部分のバックパッドに対する潜り込みを防げるから、当該バッグ部分もトリムカバーの破断部に向けてスムーズに展開するようにできる。
【発明を実施するための最良の形態】
【００１１】
以下、添付図面を参照して説明すると、図１はサイドエアバッグ装置１を備えるシート用のバックパッド２を片側面より示す。そのバックパッド２には、エアバッグケース収容型のエアバッグ装置１を組み付けるに要する縦長な開口部３が空洞状に設けられている。このバックパッド２では、開口部３の前下隅口内から前下隅口縁が保形カバー４で覆われている。
【００１２】
保形カバー４は合成樹脂または薄金属板の成形品でなり、開口部３の開口面積と略同等の長方形で後述するバックフレームのサイドプレートにあてがい固定する基板部４ａと、開口部３の前下隅口内に被るＬ字状の立上り枠４ｂと、開口部３の前下隅口縁に被るＬ字状の張出し縁４ｃとから形成されている。
【００１３】
その保形カバー４は、図２で示すように立上り枠４ｂの内面側を開口部３の口内面と略面一に保って基板部４ａをサイドプレートの板面にあてがい配置し、図１で示すようにエアバック装置１の固定ボルト１ｃ，１ｄを基板部４ａの板面に設けた通し穴４ｄ，４ｅからサイドプレート５ａの板面に設けた通し穴５ｂ，５ｃに挿通させてナット締めすることによりエアバッグ装置１で挟み込んでサイドプレートの板面にあてがい固定される。
【００１４】
エアバッグ装置１は、図３で示すようにエアバッグ１ａ，インフレータ（図示せず）をエアバッグ１ａの膨張圧で開放可能なバッグケース１ｂの内部に収容したものが備え付けられている。エアバッグ１ａとしては、後述する如く座者の頭部方向に向って上方に膨張展開するバッグ部分（以下「上方バッグ部」という。）と座者の腰部方向に向って下方に膨張展開するバッグ部分（以下「下方バッグ部」という。）とからなるものが一つ組み付けられている。
【００１５】
エアバッグ装置１は、上述したようにバックフレーム５のサイドプレート５ａにボルト締め固定し、バッグケース１ｂのケース蓋をバックパッド２の開口部３より外方に臨ませてバックパッド２の片側部に組み付けられている。トリムカバー６には、エアバッグ１ａの膨張展開に伴う破断部６ａがエアバッグ装置１の装備側を被包する前面カバー（バケットシートの場合、土手面カバーを示す。）６ｂと側面カバー６ｃとの端末間を縫い合わせた縫い目で形成されている。
【００１６】
そのケース収容型のものに代えて、インフレータ，エアバッグを含むエアバッグモジュールをバックフレームのサイドプレートに直接取り付けると共に、エアバッグをバックパッドの開口部に臨ませて外方に膨張展開可能に組み付ける直付けタイプのものをエアバッグ装置として装備するようにできる。
【００１７】
トリムカバー６には、図４で示すように破断部６ａを形成する縫い目より前面カバー６ｂと側面カバー６ｃとに分けて双方に亘る力布７，８をエアバッグの膨張展開領域に備え付けるようにできる。その力布７，８は、前面カバー６ｂ，側面カバー６ｂの内側に縫い付けまたはラミネートで一体に積層させてトリムカバー６に備え付けるようにできる。
【００１８】
各力布７，８は、ポリエステル不織布や綿布等のエアバッグの膨張圧を受けても伸びの少ない材質のもので形成するようにできる。この力布７，８としては、座者の頭部方向に向って上方に膨張展開するバッグ部分と座者の腰部方向に向って下方に膨張展開するバッグ部分を当初個別に膨張展開するよう破断部６ａの中央相当部分を凹状に切り欠いたものを備え付けるようにできる。
【００１９】
力布７，８（図３参照）の片端末は、トリムカバー６の破断部６ａを形成する縫い目により共縫いする。力布７の他端末は、前面カバー６ｂの吊込み部６ｄと共にバックパッド２の支持スプリング９との間に掛け止めるワイヤリング１０でバックパッド２の内部に吊込み止着する。力布８の他端末は、側面カバー６ｃの吊込み部６ｅと共にバックフレーム５のリテーナ５ｄにワイヤリング１１で引張止着する。図４中、符号１２はバックボードを示す。
【００２０】
このように構成するサイドエアバッグ装置を備える車両用シートでは、車体側に装備された衝撃センサーが作動し、衝撃センサーから出力信号がインフレータに送信されると、図５で示すようにエアバッグ１ａがインフレータの出力圧を受けて膨張展開する。
【００２１】
そのエアバッグ６ａの膨張展開に際し、バックパッド１における開口部２の前上側にあっては座面部分から連続する側面部分，肩面部分，背面部分でエアバッグ６ａの膨張展開に対抗可能な剛性を有するため、上方バッグ部分１０はバックパッド２に対する潜り込みを防げることによりトリムカバー６の破断部６ａに向けてスムーズに展開できる。
【００２２】
バックパッド２における開口部３の前下側にあっては下側部分，背面部分の開放形態からエアバッグ１ａの膨張展開に対抗可能な剛性に欠けていても、開口部３の前下隅口内より前下隅口縁が保形カバー４の立上り枠４ｂ，張出し縁４ｃで覆われているため、保形カバー４がガイドとなってバックパッド１に対する潜り込みを防げるから、下方バッグ部分１１もトリムカバー６の破断部６ａに向けてスムーズに展開できる。
【００２３】
それと共に、力布７，８がエアバッグ１ａの膨張圧を受けるが、いずれも伸びないで互いに引張り合うよう突張り作用するところから、トリムカバー６の破断部６ａとなる縫い目に対してエアバッグの膨張による応力を瞬時に集中作用させる。このため、破断部６ａとなる縫い目は力布７，８で強く引っ張られて速やかに切れ出すため、エアバッグの膨張展開に必要な縫い目を迅速且つ確実に切開させられる。
【００２４】
力布７，８としては、破断部６ａの中央相当部分を凹状に切り欠いたものが備え付けられているため、破断部６ａとなる縫い目は力布７，８の切欠部分を隔てて個別に切れ出すようになる。これにより、当初は座者の頭部方向に向って膨張展開する上方バッグ部分１０と座者の腰部方向に向って膨張展開する下方バッグ部分１１とが個別に膨張展開することから、各バッグ部分１０，１１の膨張展開方向を安定よく定められる。
【図面の簡単な説明】
【００２５】
【図１】本発明に係るサイドエアバッグ装置を備えるシートバックからエアバッグ装置，バックパッドの保形カバーを展開させて示す斜視図である。
【図２】同シートバック用のバックパッドを示す側面図である。
【図３】本発明に係る車両用シートのシートバックを示す断面図である。
【図４】本発明に係る車両用シートを全体的に示す斜視図である。
【図５】本発明に係る車両用シートのシートバックをエアバッグの膨張展開状態で示す説明図である。
【符号の説明】
【００２６】
１      エアバッグ装置
２      バックパッド
３      開口部
４      バックパッドの保形カバー
５      バックフレーム
６      トリムカバー
６ａ    トリムカバーの破断部
【図１】
2008120148.tif 000003
【図２】
2008120148.tif 000004
【図３】
2008120148.tif 000005
【図４】
2008120148.tif 000006
【図５】
2008120148.tif 000007